(57)【要約】      （修正有）【課題】地上において高所に設置した撮影機を自由に操ることにより、人間が高所より見る周囲の景色を思うがまま見ることを可能にする。【解決手段】地面１に設置した受像装置の画面の方向と高い塔２に設置した撮影機３のレンズの方向とを同じ緯度に向けた後、受像画面を眺めている人が自分の見ようとする景色の方向に電動で受像画面を水平に回転移動させると、高い塔２の上の撮影機３は同時に、その方向に追尾回転して、見ようとする景色が受像画面上に写し出されるようにし、又、下方又は上方の景色を見ようとして自分で受像画面を電動で前傾又は後傾させることにより同時に塔２上の撮影機３も追尾前傾又は後傾して見ようとする下方又は上方の景色が受像画面上に写し出されるようにした高所視界受像装置。【選択図】図２
0003136310.tif 000002
【実用新案登録請求の範囲】
【請求項１】
地面１に設置した受像装置１０の画面１１の方向と高い塔２に設置した撮影機３のレンズの方向とを同じ緯度に向けた後、受像画面１１を眺めている人が自分の見ようとする景色の方向に電動で受像画面１１を水平に回転移動させると、高い塔２の上の撮影機３は同時に、その方向に追尾回転して、見ようとする景色が受像画面１１上に写し出されるようにし、又、下方又は上方の景色を見ようとして自分で受像画面１１を電動で前傾又は後傾させることにより同時に塔２上の撮影機３も追尾前傾又は後傾して見ようとする下方又は上方の景色が受像画面１１上に写し出されるようにした高所視界受像装置。
【請求項２】
実用新案登録請求の範囲の請求項１に於ける受像装置の受像画面を映像を眺める人の周囲を取り囲むように直立した円筒内面の形状にして、その円筒形受像画面の一定幅の範囲に映像を受け、その映像を眺める人の操作により電気的に水平にずらして移動させていくと、この移動にともなって、同時に同方向に撮影機３が追尾回転して、見ようとする景色をとらえていくので、円筒形受像画面の上に景色が次々と移り変わって写し出されるようになる受像装置。
【考案の詳細な説明】
【技術分野】
【０００１】  高所の視界を地上で受像する装置。
【背景技術】
【０００２】  人間が高所における景色を見ようとするときには周囲を見渡し、又遠近を見るために高い場所に登り視るのが通常の行為である。
【考案の開示】
【考案が解決しようとする課題】
【０００３】  地上において高所に設置した撮影機を自由に操ることにより、人間が高所において見る周囲の景色を思うがまま見ることを可能にする。
【課題を解決するための手段】
【０００４】  図１〜図４に一例を示すように地面１に設置した受像装置１０の画面１１の方向と高い塔２に設置した撮影機３のレンズの方向とを同じ緯度に向けた後、受像画面１１を眺めている人が自分の見ようとする景色の方向に電動で受像画面１１を水平に回転移動させると、高い塔２の上の撮影機３は同時に、その方向に追尾回転して、見ようとする景色が受像画面１１上に写し出されるようにし、又、下方又は上方の景色を見ようとして自分で受像画面１１を電動で前傾又は後傾させることにより同時に塔２上の撮影機３も追尾前傾又は後傾して見ようとする下方又は上方の景色が受像画面１１上に写し出されるようにする。【０００５】  受像装置の受像画面を図３及び図４の鎖線で形状を示すように映像を眺める人の周囲を取り囲むように直立した円筒内面の形状にして、その円筒形受像画面１４の一定幅の範囲に映像を受け、その映像を眺める人の操作により電気的に水平にずらして移動させていくと、この移動にともなって、同時に同方向に撮影機３が追尾回転して、見ようとする景色をとらえていくので、円筒形受像画面の上に景色が次々と移り変わって写し出されるようにする。
【考案の効果】
【０００６】  高所に登らなければ視ることが出来ない景色を地上にいながら自由な方向、自由な角度で見ることが可能となり、丁度視る者が高い撮影機の位置まで登って見る光景を実感しうる効果がある。また撮影機に望遠及び広角機能を与えることにより、より多様な景色を見ることが可能となる。
【発明の実施をするための最良の形態】
【０００７】  図１及び図２のように塔の上に回転座４を、更にその上に傾斜関節７を取付け、これに撮影機３を設置して、電動により矢印Ａのように水平に首振り可能にし、又電動により矢印Ｂのように前後に傾斜可能にしている。
又図３及び図４のように受像画面１１を電動により傾斜関節１２のところで矢印Ｂ’のように前後に傾斜可能にし、又電動により受像画面回転軸１５を軸として矢印Ａ’のように水平に回転移動可能にしている。
【０００８】  地面１に設置した受像装置１０の画面１１の方向と高い塔２に設置した撮影機３のレンズの方向とを同じ緯度に向けた後、受像画面１１を眺めている人が自分の見ようとする景色の方向に電動で受像画面１１を水平に回転移動させると、高い塔２の上の撮影機３は同時に、その方向に追尾回転して、見ようとする景色が受像画面１１上に写し出されるようにし、又、下方又は上方の景色を見ようとして自分で受像画面１１を電動で前傾又は後傾させることにより同時に塔２上の撮影機３も追尾前傾又は後傾して見ようとする下方又は上方の景色が受像画面１１上に写し出されるようにする。
【０００９】  受像画面１１の回転移動する角度と撮影機３の回転移動の角度を常に同一にするための方法としては、受像画面回転用モーター１６と撮影機回転用モーター５は同一回転数の電磁ブレーキ付モーターを採用し、又受像画面回転用減速機１７と撮影機回転用減速機６は同一の減速比のものを採用して、操作盤１８の受像画面回転用スイッチ１９で両モーターを同時に始動、又は停止させるようにする。
【００１０】  受像画面１１を前傾又は後傾と、撮影機３の前傾又は後傾の角度を常に同一にするためには回転移動させる方法と同様に受像画面傾斜用モーター１３と撮影機傾斜用モーター８とは同一性能、受像画面傾斜用減速機１４と撮影機傾斜用減速機９も同一性能のものを使用し、受像画面傾斜用スイッチ２０で同時に始動又は停止をさせるようにする。
【００１１】  受像装置の受像画面を図３及び図４の鎖線で形状を示すように映像を眺める人の周囲を取り囲むように直立した円筒内面の形状にして、その円筒形受像画面の一定幅の範囲に映像を受け、その映像を眺める人の操作により電気的に水平にずらして移動させていくと、この移動にともなって、同時に同方向に撮影機３が追尾回転して、見ようとする景色をとらえていくので、円筒形受像画面の上に景色が次々と移り変わって写し出されるようにする。
【００１２】  又図３及び図４で天井部を鎖線のように拡大した受像画面を採用すると、撮影機３の傾斜を大きくすることにより月又は星空を受像することも出来る。
【００１３】  又撮影機３の機能を広角又は望遠に変換して多様な景色を受像出来、更に天体用望遠レンズを付けた撮影機を並列に増設し、適時配線を切換えて受像画面に写し出すことも可能である。
【００１４】  撮影機３を回転及び揺動を安定させた気球に取付けることにより、より高度より視界を回転させながら地上を見下すことが出来る。
【産業上の利用可能性】
【００１５】  本案は塔上よりの景色の観賞のみならず、天体の観測、高空よりの地形観測、火災発生監視用など広範囲に利用できる。
【図面の簡単な説明】
【００１６】
【図１】本案に係わる実施例を示すものであって撮影機を載せた塔の平面図
【図２】図１の側面図
【図３】本案の実施の一例を示す受像装置の平面図
【図４】図３のＸ−Ｘ断面図
【符号の説明】
【００１７】  １・・・地面                          ２・・・塔
３・・・撮影機                        ４・・・撮影機の回転座
５・・・撮影機回転用モーター          ６・・・撮影機回転用減速機
７・・・撮影機の傾斜関節              ８・・・撮影機傾斜用モーター
９・・・撮影機傾斜用減速機          １０・・・受像装置
１１・・・受像画面                    １２・・・受像画面の傾斜関節
１３・・・受像画面傾斜用モーター      １４・・・受像画面傾斜用減速機
１５・・・受像画面回転軸              １６・・・受像画面回転用モーター
１７・・・受像画面回転用減速機        １８・・・操作盤
１９・・・受像画面回転用スイッチ      ２０・・・受像画面傾斜用スイッチ
【図１】
0003136310.tif 000003
【図２】
0003136310.tif 000004
【図３】
0003136310.tif 000005
【図４】
0003136310.tif 000006